(57)【要約】【課題】インバータ基板に実装される電子部品が劣化しやすくなるのを抑制することが可能な照明装置を提供する。【解決手段】このバックライトユニット（照明装置）１は、バックライトシャーシ１１の前面１１ｄ側および後面１１ｅ側にそれぞれ配置された光源１３およびインバータ基板１５を備えている。そして、バックライトシャーシ１１には、インバータ基板１５との間の熱を放熱するための放熱孔１１ｆが形成されているとともに、放熱孔１１ｆの外縁には、孔あけ加工時に生じるかえり１１ｈが残されている。また、放熱孔１１ｆは、インバータ基板１５の一方端の近傍の領域に配置されているとともに、放熱孔１１ｆの外縁に残されたかえり１１ｈは、インバータ基板１５側に向かって突出している。【選択図】図５
2008282615.tif 000002
【特許請求の範囲】
【請求項１】
シャーシと、
前記シャーシの前面側に配置された光源と、
前記シャーシの前記光源が配置される前面側とは反対の後面側に配置され、前記シャーシの後面と所定の間隔を隔てて対向する所定面を有するインバータ基板とを備え、
前記シャーシには、前記シャーシの後面と前記インバータ基板の所定面との間の熱を前記光源側に向かって放熱するための第１放熱孔が形成されているとともに、前記シャーシの第１放熱孔の外縁には、孔あけ加工時に生じるかえりが残されており、
前記シャーシの第１放熱孔は、前記インバータ基板の一方端の近傍の領域に配置されているとともに、前記シャーシの第１放熱孔の外縁に残されたかえりは、前記インバータ基板側に向かって突出していることを特徴とする照明装置。
【請求項２】
前記シャーシの一方端側から見て、前記シャーシの後面と前記インバータ基板の所定面との間の空間の少なくとも一部は、前記シャーシの第１放熱孔の外縁に残されたかえりにより塞がれていることを特徴とする請求項１に記載の照明装置。
【請求項３】
複数の第１放熱孔が前記シャーシに形成されており、
前記シャーシの一方端側から見て、前記シャーシの後面と前記インバータ基板の所定面との間の空間の少なくとも一部は、前記シャーシの複数の第１放熱孔の各々の外縁に残されたかえりにより塞がれていることを特徴とする請求項１または２に記載の照明装置。
【請求項４】
前記シャーシの後面側から見て、前記シャーシの複数の第１放熱孔を含む孔列は、山形状となっていることを特徴とする請求項３に記載の照明装置。
【請求項５】
前記インバータ基板には、発熱する電子部品が実装されており、
前記シャーシの前記電子部品の近傍の領域には、前記シャーシの後面と前記インバータ基板の所定面との間の熱を前記光源側に向かって放熱するための第２放熱孔が形成されていることを特徴とする請求項１〜４のいずれかに記載の照明装置。
【請求項６】
複数の電子部品が前記インバータ基板に実装されており、
前記シャーシの第２放熱孔は、前記複数の電子部品の近傍の領域の各々に少なくとも１つずつ配置されていることを特徴とする請求項５に記載の照明装置。
【発明の詳細な説明】
【技術分野】
【０００１】
この発明は、照明装置に関し、特に、インバータ基板を備えた照明装置に関する。
【背景技術】
【０００２】
従来、照明装置として、インバータ基板により光源（放電管）を駆動する液晶テレビ用のバックライトユニットが知られている（たとえば、特許文献１参照）。また、従来では、上記した構成において、インバータ基板がバックライトユニット（照明装置）の最後面側に配置されたものが知られている。
【０００３】
図８は、従来の液晶テレビ用のバックライトユニット（照明装置）の構造の一例を簡略的に示した断面図である。図９は、図８に示した従来の液晶テレビ用のバックライトユニットを上側から見た場合の平面図である。図８および図９を参照して、従来の液晶テレビ用のバックライトユニット（照明装置）１０１は、液晶表示パネル１０２の後側に配置された状態で使用される。また、従来のバックライトユニット１０１は、バックライトシャーシ１１１と、反射シート１１２と、複数の放電管１１３ａにより構成された光源１１３と、光学シート１１４と、インバータ基板１１５とを少なくとも備えている。
【０００４】
バックライトシャーシ１１１は、前側が開口するように凹形状に折り曲げられている。すなわち、バックライトシャーシ１１１は、底部１１１ａと、底部１１１ａの上側に位置する側部１１１ｂと、底部１１１ａの下側に位置する側部１１１ｃとを有していることになる。そして、上記した反射シート１１２、光源１１３および光学シート１１４は、この順番で、バックライトシャーシ１１１の底部１１１ａの前面１１１ｄ側に配置されている。また、上記したインバータ基板１１５は、バックライトシャーシ１１１の底部１１１ａの後面１１１ｅ側に配置されている。
【０００５】
反射シート１１２は、バックライトシャーシ１１１の凹部の内面に沿って配置されている。光源１１３（複数の放電管１１３ａ）は、バックライトシャーシ１１１の凹部の内側に配置されている。光学シート１１４は、バックライトシャーシ１１１の凹部を前側から塞ぐように配置されている。
【０００６】
また、インバータ基板１１５は、その所定面（実装面１１５ｂとは反対側の面）１１５ａがバックライトシャーシ１１１の後面１１１ｅと所定の間隔を隔てて対向するように、バックライトシャーシ１１１の底部１１１ａに取り付けられている。具体的には、バックライトシャーシ１１１の底部１１１ａには、インバータ基板１１５側に向かって突出する絞り加工部１１１ｆが設けられている。そして、インバータ基板１１５は、ねじ１１６により、バックライトシャーシ１１１の絞り加工部１１１ｆに取り付けられている。また、インバータ基板１１５の実装面１１５ｂには、トランスやトランジスタなどの発熱する電子部品１１７が複数実装されている。
【０００７】
【特許文献１】特開２００６−２７８２８９号公報
【発明の開示】
【発明が解決しようとする課題】
【０００８】
しかしながら、図８および図９に示した従来のバックライトユニット（照明装置）１０１では、バックライトシャーシ１１１の後面１１１ｅとインバータ基板１１５の所定面１１５ａとの間に空間１０１ａが設けられているため、上側から異物が落下してくると、その異物が空間１０１ａに挟まってしまう場合がある。この場合には、空間１０１ａに熱がこもりやすくなるので、空間１０１ａの温度が高くなり過ぎるという不都合が生じる。その結果、インバータ基板１１５の実装面１１５ｂに実装された電子部品１１７が劣化しやすくなるという問題点がある。
【０００９】
この発明は、上記のような課題を解決するためになされたものであり、この発明の目的は、インバータ基板に実装される電子部品が劣化しやすくなるのを抑制することが可能な照明装置を提供することである。
【課題を解決するための手段】
【００１０】
上記目的を達成するために、この発明の一の局面による照明装置は、シャーシと、シャーシの前面側に配置された光源と、シャーシの光源が配置される前面側とは反対の後面側に配置され、シャーシの後面と所定の間隔を隔てて対向する所定面を有するインバータ基板とを備えている。そして、シャーシには、シャーシの後面とインバータ基板の所定面との間の熱を光源側に向かって放熱するための第１放熱孔が形成されているとともに、シャーシの第１放熱孔の外縁には、孔あけ加工時に生じるかえりが残されており、シャーシの第１放熱孔は、インバータ基板の一方端の近傍の領域に配置されているとともに、シャーシの第１放熱孔の外縁に残されたかえりは、インバータ基板側に向かって突出している。
【００１１】
この一の局面による照明装置では、上記のように、シャーシの第１放熱孔を、インバータ基板の一方端（上側の端部）の近傍の領域に配置するとともに、シャーシの第１放熱孔の外縁に残されたかえりを、インバータ基板側に向かって突出させることによって、シャーシの第１放熱孔を介した放熱（シャーシの後面とインバータ基板の所定面との間の熱の放熱）を行いながら、シャーシの第１放熱孔の外縁に残されたかえりにより、シャーシの後面とインバータ基板の所定面との間の空間の少なくとも一部を上側から塞いだ状態にすることができる。このため、上側から異物が落下してきたとしても、シャーシの後面とインバータ基板の所定面との間の空間に異物が侵入するのを抑制することができる。このため、シャーシの後面とインバータ基板の所定面との間の空間に異物が挟まってしまうことに起因して、シャーシの後面とインバータ基板の所定面との間の空間に熱がこもりやすくなるという不都合が発生するのを抑制することができる。すなわち、シャーシの後面とインバータ基板の所定面との間の空間の温度が高くなり過ぎるのを抑制することができる。その結果、インバータ基板に実装される電子部品が劣化しやすくなるのを抑制することができる。
【００１２】
この場合、シャーシの第１放熱孔の外縁に残されたかえりを、シャーシの後面とインバータ基板の所定面との間の空間に異物が侵入するのを抑制するための部材（侵入抑制部材）として用いているので、侵入抑制部材を別途準備し、その侵入抑制部材をシャーシに後付けする必要がない。このため、部品点数や製造工程が増加するのを抑制することができる。
【００１３】
上記一の局面による照明装置において、好ましくは、シャーシの一方端（上側の端部）側から見て、シャーシの後面とインバータ基板の所定面との間の空間の少なくとも一部は、シャーシの第１放熱孔の外縁に残されたかえりにより塞がれている。このように構成すれば、上側から異物が落下してきた場合に、容易に、シャーシの第１放熱孔の外縁に残されたかえりにより、シャーシの後面とインバータ基板の所定面との間の空間に異物が侵入するのを抑制することができる。
【００１４】
上記一の局面による照明装置において、好ましくは、複数の第１放熱孔がシャーシに形成されており、シャーシの一方端（上側の端部）側から見て、シャーシの後面とインバータ基板の所定面との間の空間の少なくとも一部は、シャーシの複数の第１放熱孔の各々の外縁に残されたかえりにより塞がれている。このように構成すれば、上側から異物が落下してきた場合に、シャーシの複数の第１放熱孔の各々の外縁に残されたかえりにより、シャーシの後面とインバータ基板の所定面との間の空間に異物が侵入するのをより抑制することができる。
【００１５】
この場合、好ましくは、シャーシの後面側から見て、シャーシの複数の第１放熱孔を含む孔列は、山形状となっている。このように構成すれば、上側から異物が落下してきた場合に、その異物を、シャーシの山形状の孔列の傾斜に沿って落下させることができる。
【００１６】
上記一の局面による照明装置において、好ましくは、インバータ基板には、発熱する電子部品が実装されており、シャーシの電子部品の近傍の領域には、シャーシの後面とインバータ基板の所定面との間の熱を光源側に向かって放熱するための第２放熱孔が形成されている。このように構成すれば、シャーシの後面とインバータ基板の所定面との間の熱を効率的に放熱することができる。
【００１７】
この場合、好ましくは、複数の電子部品がインバータ基板に実装されており、シャーシの第２放熱孔は、複数の電子部品の近傍の領域の各々に少なくとも１つずつ配置されている。このように構成すれば、シャーシの後面とインバータ基板の所定面との間の熱をより効率的に放熱することができる。
【発明の効果】
【００１８】
以上のように、本発明によれば、インバータ基板に実装される電子部品が劣化しやすくなるのを抑制することが可能な照明装置を容易に得ることができる。
【発明を実施するための最良の形態】
【００１９】
図１は、本発明の一実施形態によるバックライトユニット（照明装置）を用いた液晶表示装置を前側から見た場合の斜視図である。図２は、図１に示した一実施形態によるバックライトユニットを用いた液晶表示装置の分解斜視図である。図３は、図１に示した一実施形態によるバックライトユニットを後側から見た場合の平面図である。図４は、図１に示した一実施形態によるバックライトユニットの構成部材の一つであるバックライトシャーシ（シャーシ）を後側から見た場合の平面図である。図５は、図３の１００−１００線に沿った断面図であり、図６は、図３の２００−２００線に沿った断面図である。図７は、図１に示した一実施形態によるバックライトユニットを上側から見た場合の平面図である。まず、図１〜図７を参照して、本実施形態によるバックライトユニット（照明装置）およびそれを備えた液晶表示装置の構造について説明する。なお、本実施形態のバックライトユニット（照明装置）を用いた液晶表示装置は、たとえば、液晶テレビなどである。
【００２０】
本実施形態のバックライトユニット（照明装置）１を用いた液晶テレビでは、図１および図２に示すように、バックライトユニット１が液晶表示パネル２の後側に配置されている。そして、本実施形態のバックライトユニット１は、液晶表示パネル２の後側から液晶表示パネル２の後面に対して面状光を照射するように構成されている。
【００２１】
また、本実施形態のバックライトユニット１は、バックライトシャーシ１１と、反射シート１２と、光源１３と、光学シート１４と、インバータ基板１５とを少なくとも備えている。なお、バックライトシャーシ１１は、本発明の「シャーシ」の一例である。
【００２２】
バックライトシャーシ１１は、約０．８ｍｍ〜約１ｍｍの厚みを有する金属板（アルミニウム板や鉄板など）によって構成されている。また、バックライトシャーシ１１を構成する金属板は、前側が開口するように凹形状に折り曲げられている。すなわち、バックライトシャーシ１１は、底部１１ａと、底部１１ａの一方端に位置する側部１１ｂと、底部１１ａの一方端とは反対側の他方端に位置する側部１１ｃとを有していることになる。なお、以下の説明では、バックライトシャーシ１１の底部１１ａの前側の面を前面１１ｄと言うとともに、バックライトシャーシ１１の底部１１ａの後側の面を後面１１ｅと言う。
【００２３】
そして、上記した反射シート１２、光源１３および光学シート１４は、この順番で、バックライトシャーシ１１の前面１１ｄ側に配置されている。また、上記したインバータ基板１５は、バックライトシャーシ１１の後面１１ｅ側に配置されている。なお、本実施形態のバックライトユニット１を液晶テレビに使用する場合には、バックライトシャーシ１１の底部１１ａの一方端に位置する側部１１ｂが上側となり、バックライトシャーシ１１の底部１１ａの他方端に位置する側部１１ｃが下側となる。
【００２４】
反射シート１２は、ＰＥＴ（ポリエチレンテレフタレート）樹脂などからなるシート部材によって構成されているとともに、バックライトシャーシ１１の凹部の内面に沿って配置されている。この反射シート１２は、光源１３で生成された光を前側に向かって反射するために設けられている。
【００２５】
光源１３は、複数の放電管１３ａによって構成されているとともに、バックライトシャーシ１１の凹部の内側に配置されている。また、光源１３を構成する複数の放電管１３ａの両端部には、放電管１３ａをバックライトシャーシ１１に対して固定するためのホルダ１６が装着されている。このホルダ１６は、バックライトシャーシ１１の底部１１ａに形成された係合部（図示せず）と係合することによって、バックライトシャーシ１１に対して固定される。
【００２６】
光学シート１４は、レンズシートや拡散シートとして機能する複数のシート部材によって構成されているとともに、バックライトシャーシ１１の凹部を前側から塞ぐように配置されている。この光学シート１４によって、光源１３で生成された光の集光や拡散などが行われる。
【００２７】
インバータ基板１５は、図２および図３に示すように、その所定面（実装面１５ｂとは反対側の面）１５ａがバックライトシャーシ１１の後面１１ｅと所定の間隔を隔てて対向するように、バックライトシャーシ１１の底部１１ａに取り付けられている。なお、図示しないが、バックライトシャーシ１１の底部１１ａには、インバータ基板１５側に向かって突出する絞り加工部が設けられている。そして、インバータ基板１５は、バックライトシャーシ１１の底部１１ａに設けられた絞り加工部にねじ止めされている。したがって、インバータ基板１５の所定面１５ａとバックライトシャーシ１１の後面１１ｅとの間隔は、バックライトシャーシ１１の底部１１ａに設けられた絞り加工部の突出高さと同じである。上記したインバータ基板１５のシャーシ１１に対する取り付けは、図８および図９に示した従来のバックライトユニット１０１と同様である。
【００２８】
さらに、インバータ基板１５は、長方形状に形成されている。そして、インバータ基板１５がバックライトシャーシ１１の底部１１ａに取り付けられた状態において、インバータ基板１５の長手方向の一方端は、バックライトシャーシ１１の底部１１ａの一方端（上側の端部）の近傍の領域に位置しているとともに、インバータ基板１５の長手方向の一方端とは反対側の他方端は、バックライトシャーシ１１の底部１１ａの他方端（下側の端部）の近傍の領域に位置している。
【００２９】
また、インバータ基板１５は、光源１３（複数の放電管１３ａ）に電気的に接続されているとともに、光源１３（複数の放電管１３ａ）に対して電力を供給するように構成されている。また、インバータ基板１５の実装面１５ｂには、トランス１７やトランジスタ１８などの発熱する電子部品が複数実装されている。
【００３０】
ここで、本実施形態では、図２〜図４に示すように、バックライトシャーシ１１の底部１１ａの一方端（上側の端部）の近傍の領域に、バックライトシャーシ１１の後面１１ｅとインバータ基板１５の所定面１５ａとの間の熱（トランス１７やトランジスタ１８などで発生した熱）を光源１３側に向かって放熱するための複数の放熱孔１１ｆが形成されている。すなわち、バックライトシャーシ１１の複数の放熱孔１１ｆは、インバータ基板１５の一方端（上側の端部）の近傍に配置されていることになる。このバックライトシャーシ１１の複数の放熱孔１１ｆの各々は、円形状に形成されているとともに、約３ｍｍ〜約４ｍｍの直径を有している。なお、放熱孔１１ｆは、本発明の「第１放熱孔」の一例である。
【００３１】
また、図３および図４に示すように、バックライトシャーシ１１の後面１１ｅ側から見て、バックライトシャーシ１１の複数の放熱孔１１ｆを含む孔列１１ｇは、実質的に山形状となっている。また、バックライトシャーシ１１の後面１１ｅ側から見て、バックライトシャーシ１１の複数の放熱孔１１ｆを含む孔列１１ｇの両端は、インバータ基板１５の外側に配置されている。すなわち、図４に示すように、バックライトシャーシ１１の後面１１ｅ側から見て、バックライトシャーシ１１の複数の放熱孔１１ｆを含む孔列１１ｇの長さＬ１は、インバータ基板１５の短手方向の長さＬ２よりも大きくなっている。
【００３２】
さらに、図５および図６に示すように、バックライトシャーシ１１の複数の放熱孔１１ｆの各々の外縁には、孔あけ加工時に生じるかえり１１ｈが残されている。このバックライトシャーシ１１の複数の放熱孔１１ｆの各々の外縁に残されたかえり１１ｈは、インバータ基板１５側に向かって突出している。これにより、図７に示すように、バックライトシャーシ１１の一方端（上側の端部）側から見て、バックライトシャーシ１１の後面１１ｅとインバータ基板１５の所定面１５ａとの間の空間１ａの大部分は、バックライトシャーシ１１の複数の放熱孔１１ｆの各々の外縁に残されたかえり１１ｈにより塞がれた状態となる。
【００３３】
また、図２〜図４に示すように、バックライトシャーシ１１の底部１１ａには、その外縁にかえりが存在しない放熱孔１１ｉおよび１１ｊも形成されている。このバックライトシャーシ１１の放熱孔１１ｉおよび１１ｊは、上記した放熱孔１１ｆと同様、バックライトシャーシ１１の後面１１ｅとインバータ基板１５の所定面１５ａとの間の熱（トランス１７やトランジスタ１８などで発生した熱）を光源１３側に向かって放熱するために設けられている。このバックライトシャーシ１１の放熱孔１１ｉは、複数のトランス１７の近傍の領域の各々に所定数ずつ配置されている。また、バックライトシャーシ１１の放熱孔１１ｊは、複数のトランジスタ１８の近傍の領域の各々に所定数ずつ配置されている。なお、放熱孔１１ｉおよび１１ｊは、本発明の「第２放熱孔」の一例である。
【００３４】
また、図５および図６に示すように、反射シート１２には、バックライトシャーシ１１の放熱孔１１ｆ、１１ｉおよび１１ｊに対応する領域の各々に配置された複数の放熱孔１２ａが形成されている。
【００３５】
本実施形態のバックライトユニット１は、上記したように構成されている。なお、図２には、図面の簡略化のため、放熱孔１１ｆ、１１ｉ、１１ｊおよび１２ａは図示していない。
【００３６】
また、図１および図２に示すように、バックライトユニット１の前側には、枠形状の支持フレーム３が配置されている。そして、液晶表示パネル２は、支持フレーム３により支持された状態で、バックライトユニット１の前側に配置されている。また、液晶表示パネル２の前側には、液晶表示パネル２の表示領域を露出させるための開口部４ａを有するベゼル４が配置されている。
【００３７】
本実施形態では、上記のように、バックライトシャーシ１１の複数の放熱孔１１ｆを、インバータ基板１５の一方端（上側の端部）の近傍の領域に配置するとともに、バックライトシャーシ１１の複数の放熱孔１１ｆの各々の外縁に残されたかえり１１ｈを、インバータ基板１５側に向かって突出させることによって、バックライトシャーシ１１の複数の放熱孔１１ｆを介した放熱（バックライトシャーシ１１の後面１１ｅとインバータ基板１５の所定面１５ａとの間の熱の放熱）を行いながら、バックライトシャーシ１１の複数の放熱孔１１ｆの各々の外縁に残されたかえり１１ｈにより、バックライトシャーシ１１の後面１１ｅとインバータ基板１５の所定面１５ａとの間の空間１ａの大部分を上側から塞いだ状態にすることができる。このため、上側から異物が落下してきたとしても、空間１ａに異物が侵入するのを抑制することができる。このため、空間１ａに異物が挟まってしまうことに起因して、空間１ａに熱がこもりやすくなるという不都合が発生するのを抑制することができる。すなわち、空間１ａの温度が高くなり過ぎるのを抑制することができる。その結果、インバータ基板１５の実装面１５ｂに実装されたトランス１７やトランジスタ１８が劣化しやすくなるのを抑制することができる。
【００３８】
この場合、バックライトシャーシ１１の複数の放熱孔１１ｆの各々の外縁に残されたかえり１１ｈを、空間１ａに異物が侵入するのを抑制するための部材（侵入抑制部材）として用いているので、侵入抑制部材を別途準備し、その侵入抑制部材をバックライトシャーシ１１に後付けする必要がない。このため、部品点数や製造工程が増加するのを抑制することができる。
【００３９】
また、本実施形態では、上記のように、バックライトシャーシ１１の後面１１ｅ側から見て、バックライトシャーシ１１の複数の放熱孔１１ｆを含む孔列１１ｇを、山形状とすることによって、上側から異物が落下してきた場合に、その異物を、バックライトシャーシ１１の山形状の孔列１１ｇの傾斜に沿って落下させることができる。
【００４０】
また、本実施形態では、上記のように、バックライトシャーシ１１の底部１１ａに、放熱孔１１ｆとは別の放熱孔１１ｉおよび１１ｊをさらに形成し、かつ、そのバックライトシャーシ１１の放熱孔１１ｉ（放熱孔１１ｊ）を、複数のトランス１７（トランジスタ１８）の近傍の領域の各々に所定数ずつ配置することによって、バックライトシャーシ１１の後面１１ｅとインバータ基板１５の所定面１５ａとの間の熱をより効率的に放熱することができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、液晶表示装置用のバックライトユニットに本発明を適用する例について説明したが、本発明はこれに限らず、液晶表示装置用のバックライトユニット以外の照明装置にも適用可能である。
【００４３】
また、上記実施形態では、１つのインバータ基板を備えたバックライトユニットに本発明を適用する例について説明したが、本発明はこれに限らず、２つ以上のインバータ基板を備えたバックライトユニットにも適用可能である。
【００４４】
また、上記実施形態では、円形状の放熱孔をバックライトシャーシに形成するようにしたが、本発明はこれに限らず、円形状以外の形状を有する放熱孔をバックライトシャーシに形成するようにしてもよい。たとえば、バックライトシャーシに長孔を形成し、その長孔を放熱孔として用いてもよい。
【図面の簡単な説明】
【００４５】
【図１】本発明の一実施形態によるバックライトユニット（照明装置）を用いた液晶表示装置を前側から見た場合の斜視図である。
【図２】図１に示した一実施形態によるバックライトユニットを用いた液晶表示装置の分解斜視図である。
【図３】図１に示した一実施形態によるバックライトユニットを後側から見た場合の平面図である。
【図４】図１に示した一実施形態によるバックライトユニットの構成部材の一つであるバックライトシャーシ（シャーシ）を後側から見た場合の平面図である。
【図５】図３の１００−１００線に沿った断面図である。
【図６】図３の２００−２００線に沿った断面図である。
【図７】図１に示した一実施形態によるバックライトユニットを上側から見た場合の平面図である。
【図８】従来の液晶テレビ用のバックライトユニット（照明装置）の構造の一例を簡略的に示した断面図である。
【図９】図８に示した従来の液晶テレビ用のバックライトユニットを上側から見た場合の平面図である。
【符号の説明】
【００４６】
１  バックライトユニット（照明装置）
１１  バックライトシャーシ（シャーシ）
１１ｄ  前面
１１ｅ  後面
１１ｆ  放熱孔（第１放熱孔）
１１ｇ  孔列
１１ｈ  かえり
１１ｉ、１１ｊ  放熱孔（第２放熱孔）
１３  光源
１５  インバータ基板
１５ａ  所定面
１７  トランス（電子部品）
１８  トランジスタ（電子部品）
【図１】
2008282615.tif 000003
【図２】
2008282615.tif 000004
【図３】
2008282615.tif 000005
【図４】
2008282615.tif 000006
【図５】
2008282615.tif 000007
【図６】
2008282615.tif 000008
【図７】
2008282615.tif 000009
【図８】
2008282615.tif 000010
【図９】
2008282615.tif 000011